(57)【要約】【課題】一対の鋏片の接触圧力を容易に調整することができる鋏を提供する。【解決手段】鋏１は、夫々刃部１１，２１及び持手部１３，２３を有し、支軸５周りに回動可能な第一鋏片１０及び第二鋏片２０と、第一鋏片１０の支軸５近傍の、第二鋏片２０と対向する面に形成された凹部１２と、凹部１２に嵌挿可能に形成された嵌挿体２とを具備する。凹部１２は、その深さが刃部１１側から持手部１３側に向かって浅いものとなるように形成され、嵌挿体２は、脱着可能な薄板状の嵌挿片３ａ，３ｂ，３ｃ，３ｄを有して構成される。【選択図】        図１
0003115998.tif 000002
【実用新案登録請求の範囲】
【請求項１】
夫々刃部及び持手部を有し、支軸周りに回動可能な一対の鋏片と、
一方の前記鋏片の前記支軸近傍に、他方の前記鋏片と対向する面に形成された凹部と、
該凹部に嵌挿可能に形成され、その厚さが前記持手部側で前記凹部の深さより大であり、少なくとも一部分の脱着により厚さが変化する嵌挿体と
を具備することを特徴とする鋏。
【請求項２】
前記凹部は、その深さが前記刃部側から前記持手部側に向かって浅いものとなるように形成され、
前記嵌挿体は、脱着可能な薄板状の嵌挿片を複数具備して構成される
ことを特徴とする請求項１に記載の鋏。
【請求項３】
前記嵌挿片として、
１／１００ミリ、２／１００ミリ、３／１００ミリ、５／１００ミリの厚さを有する嵌挿片を具備することを特徴とする請求項２に記載の鋏。
【請求項４】
潤滑剤を含浸させた多孔質体でシート状に形成され、前記支軸の近傍で一対の前記鋏片間に介装される潤滑シートを更に具備することを特徴とする請求項１乃至請求項３の何れか一つに記載の鋏。
【請求項５】
前記凹部を有する前記鋏片と対向する他方の前記鋏片の、前記支軸近傍に形成された溝部を更に具備することを特徴とする請求項１乃至請求項４の何れか一つに記載の鋏。
【考案の詳細な説明】
【技術分野】
【０００１】
本考案は、鋏に関するものであり、特に、美容師や理容師等の専門家の使用に適した鋏に関するものである。
【背景技術】
【０００２】
鋏は、周知の如く、刃部と持手部を有する鋏片の一対を支軸によって組付け、その開閉操作により対象物を切断するものである。すなわち、鋏片を閉じる操作に伴い、一対の刃部が点接触し、その接触点が刃先方向に移動することによって対象物が切断される。その際、対象物からは鋏片を外側に押し広げて刃部の接触を妨げようとする力（側方圧）が作用するため、一対の刃部間にはその力に対抗するだけの接触圧力が生じるよう設定される必要がある。一般的には、刃元付近に比べて刃先付近で接触圧力が増加するよう、緩やかに刃部を湾曲させる「ソリ」が形成される。そして、接触圧力が大きい場合は、対象物が厚い場合や硬い場合にも切断しやすいものとなるが、摩擦が増大して使用感が重く、使用者の手に負担がかかりやすい傾向がある。一方、接触圧力が小さい場合は、使用感が軽く速い開閉操作が可能となるが、対象物が刃部間に挟まれて切断されにくくなり、押し切りに近い状態となる傾向がある。そこで、鋏の用途等、例えば理美容用の鋏であれば、スライドカット用であるかワンパネルの毛量の多いカット用であるか等を考慮し、最適な切断状態が得られるように、上記の「ソリ」のつけ具合も含めた鋏片の形状が、製造者によって十分吟味されて設計される。そして、そのように設計された鋏の種々の設定が、使用者の手指の力や切断操作のくせ等と合致した場合、使用者にとって使い勝手のよい鋏となる。
【考案の開示】
【考案が解決しようとする課題】
【０００３】
しかしながら、十分な吟味により設計され、高度に制御されて製造された鋏の中から、美容師等の使用者が自分に合った鋏を選択しても、極めて高頻度に開閉操作を繰返す使用により、支軸付近が摩耗して当初設定された接触圧力から異なってきてしまうことがあった。また、研磨処理によって鋏片の厚さや形状が変化してしまうこともあった。更に、「ソリ」による接触圧力の設定は、鋏片の形状として製造者によってなされるものであるため、いったん製造された後は、使用者がこれに変更を加えることができないという問題があった。また、使用者に可能な調整手段としては、支軸の締付け具合の調整程度に限られ、接触圧力を大きくしようとして支軸を締付けても、その力は支軸及び軸孔の付近にのみ主に作用して、刃部の接触状態があまり変化しないばかりか、支軸付近の摩擦が増大して開閉操作が重くなり、かえって使い勝手が悪化することがあるという問題があった。そのため、鋏の使用者が、鋏の摩耗や研磨処理等に伴う鋏片の変化や、自分の手指の力やくせ等に応じて、一対の鋏片の接触圧力を調整することが可能な鋏が望まれていた。
【０００４】
そこで、本考案は上記の実情に鑑み、一対の鋏片の接触圧力を容易に調整することができる鋏を提供することを課題とするものである。
【課題を解決するための手段】
【０００５】
本考案に係る鋏は、「夫々刃部及び持手部を有し、支軸周りに回動可能な一対の鋏片と、一方の前記鋏片の前記支軸近傍に、他方の前記鋏片と対向する面に形成された凹部と、該凹部に嵌挿可能に形成され、その厚さが前記持手部側で前記凹部の深さより大であり、少なくとも一部分の脱着により厚さが変化する嵌挿体とを」具備して構成されている。
【０００６】
凹部は、鋏片の一方にのみ設けられ、支軸付近で他方の鋏片と対抗する面、すなわち、鋏の開閉操作により摺動する面に形成される。例えば、支軸の周囲に凹部を形成し、支軸を挿通させる軸孔が凹部の底面を貫通するように設けることができる。また、軸孔を回避しつつ、その近傍に形成することができる。また、嵌挿体は、例えば、厚さ方向と直交する断面の形状を、凹部の底面の形状と略一致させることにより、凹部に嵌挿可能なものとすることができる。また、嵌挿体は、一体的に形成されるものとすることができる。その際、厚さの異なる複数の嵌挿体を複数備えるものとし、脱着により取替え可能とすることができる。また、嵌挿体を複数の部分から構成されるものとし、その一部の脱着によって嵌挿体全体の厚さが変化するものとすることもできる。
【０００７】
この嵌挿体及び凹部は、凹部に嵌挿体を嵌挿させた状態で、凹部の持手部側で、嵌挿体の厚さが凹部の深さより大となるような構成とされる。この構成は、嵌挿体の厚さに傾斜を設け、その厚い部分を凹部の持手部側に嵌挿させることにより実現することができる。あるいは、嵌挿体の厚さは均一なものとし、凹部の深さを刃部側から持手部側に向かって浅くなるように形成することにより実現することもできる。
【０００８】
従って、本考案によれば、支軸付近の持手部側で、厚さが凹部の深さより大である嵌挿体によって、一対の鋏片が夫々外側に押圧される。その結果、夫々の鋏片は、支軸付近の刃部側で他方の鋏片に圧接され、刃元付近の接触圧力が増加する。これにより、例えば、刃元付近の接触圧力が小さく、使用者の所望する状態より刃部間の間隙が開いている場合であっても、接触圧力を増加させてこの間隙を減少させることができ、手の力で両方の鋏片を押し合わせなくても、両方の鋏片が刃元付近で接触しやすいものとなる。すなわち、一対の鋏片を閉じる操作に伴って、一対の刃部が刃元から刃先まで摺り合わされ、切れ味良く滑らかに対象物を切断することが可能となる。
【０００９】
加えて、厚さの異なる嵌挿体との取替え、または嵌挿体の一部の脱着により嵌挿体全体の厚さを変化させ、支軸付近の刃部側の圧接状態、すなわち刃元付近の接触圧力を変化させることができる。これにより、鋏の形状に変更を加えることができない鋏の使用者であっても、一対の刃部の接触圧力を容易に調整することができる。例えば、使用による摩耗や研磨処理によって鋏片の厚さや形状が変化しても、鋏の切れ味を最適な状態に維持することが可能となる。また、自分の手指の力や切断操作のくせ等を考慮して、より使い勝手のよい状態となるように、刃部の接触圧力を調整することが可能となる。
【００１０】
また、本考案に係る鋏は、「前記凹部は、その深さが前記刃部側から前記持手部側に向かって浅いものとなるように形成され、前記嵌挿体は、脱着可能な薄板状の嵌挿片を複数具備して構成される」ものとすることができる。
【００１１】
凹部の深さの変化は、連続的に漸次変化するものとすることができる。また、段階的に深さが変化するものとすることもできる。また、嵌挿片は、夫々の厚さが異なるものとすることも、同じ厚さの複数枚から構成されるものとすることも、数種類の厚さの嵌挿片が夫々複数枚備えられるものとすることもできる。
【００１２】
従って、本考案によれば、凹部の深さの傾斜により、嵌挿体の厚さが持手部側で凹部より大となる構成とすることにより、嵌挿片は一様な厚さを有するものとすることができる。これにより、複数枚が備えられる必要のある嵌挿片を、簡易に製造することが可能となる。そして、凹部に嵌挿させる嵌挿片の枚数を変化させる、あるいは、厚さの異なる嵌挿片のうち、使用する嵌挿片の組合わせを変えることにより、嵌挿体全体の厚さを容易に変化させることができる。すなわち、鋏片の接触圧力を容易に調整できる鋏を、簡易に製造することが可能となる。また、嵌挿片を薄板状に形成することにより、嵌挿体の厚さの変化の単位が小さいものとなる。これにより、鋏片の接触圧力を、微調整することが可能となる。
【００１３】
更に、本考案に係る鋏は、「前記嵌挿片として、１／１００ミリ、２／１００ミリ、３／１００ミリ、５／１００ミリの厚さを有する嵌挿片を」具備するものとすることができる。
【００１４】
従って、本考案によれば、１／１００ミリ、２／１００ミリ、３／１００ミリ、５／１００ミリという異なる厚さを有する嵌挿片の脱着により、夫々の厚さ分だけ嵌挿体の厚さが変化する。また、１／１００ミリと３／１００ミリの組合わせにより４／１００ミリ分、１／１００ミリと５／１００ミリの組合わせにより６／１００ミリ分、２／１００ミリと５／１００ミリの組合わせにより７／１００ミリ分、というように、１／１００ミリから１１／１００ミリまで、１／１００ミリ単位で嵌挿体の厚さを変化させることができる。すなわち、４種類という少ない種類の組合わせで、嵌挿体の厚さを様々に変化させ、鋏片の接触圧力を微調整することが可能となる。
【００１５】
また、本考案に係る鋏は、「潤滑剤を含浸させた多孔質体でシート状に形成され、前記支軸の近傍で一対の前記鋏片間に介装される潤滑シートを」具備するものとすることもできる。
【００１６】
潤滑シートは、支軸付近において一対の鋏片間に介装され、例えば、凹部に嵌挿された嵌挿体と他方の鋏片との間に配することができる。また、潤滑シートは、嵌挿体の構成の一部とすることができる。例えば、潤滑シートの断面形状を凹部の底面と略同一に形成して凹部に嵌挿させ、この潤滑シートの厚さも含め、嵌挿体全体として凹部の持手部側の深さより厚さが大となる構成とすることができる。この場合、潤滑シートは、凹部に嵌挿される嵌挿体の最頂部となるように配することにより、対抗する鋏片と当接するものとすることができる。
【００１７】
潤滑剤は、パラフィン系やナフテン系の鉱油、リン酸エステル等の合成油、ナタネ油等の脂肪性油、グリース等の半固体潤滑油等の各種の潤滑剤を例示することができる。また、これらを含浸させる多孔質体との濡れ性を向上させるために、界面活性剤を添加することもできる。多孔質体は、高分子材料の粉末を型に充填して焼結させた多孔質の樹脂を、所定の厚さに切削したものを例示することができる。なお、多孔質体は、含浸させる潤滑剤に対して親和性があり、潤滑剤によって化学的に侵食されない耐性を有することが必要である。加えて、支軸付近において摺動する一対の鋏片の間に配されることから、耐磨耗性を有していることが望ましい。
【００１８】
従って、本考案によれば、一対の鋏片の間に潤滑シートが配されることにより、摺動する支軸付近の摩擦が低下する。これにより、鋏の開閉操作が容易となり、使用者の負担が軽減されて、使用感の良いものとなる。特に、本考案では、嵌挿体の凹部への嵌挿により、支軸付近の持手部側において鋏片が嵌挿体に押圧され、刃部側において鋏片間の圧接が強められるため、夫々の部分で摩擦が増大するおそれがある。しかしながら、潤滑シートを具備することにより、この摩擦の増大を抑制することができ、鋏の開閉操作を良好なものとしつつ、鋏片の接触圧力を増加させることが可能となる。
【００１９】
また、多孔質体に含浸された潤滑剤は、少しずつ滲み出して、摺動する鋏片間に供給されるため、摩擦を軽減する効果が長期に渡って持続する。加えて、支軸付近に注油する場合のように、潤滑剤が過剰に供給されるおそれがないため、過剰な潤滑剤によって支軸周りが汚染したり、鋏の開閉操作に伴って潤滑剤が飛散したりすることなく使用することが可能となる。
【００２０】
更に、本考案に係る鋏は、「前記凹部を有する前記鋏片と対向する他方の前記鋏片の、前記支軸近傍に形成された溝部を」具備するものとすることができる。
【００２１】
溝部は、凹部が形成された鋏片ではない他方の鋏片の支軸付近に形成され、例えば、嵌挿体と当接する部分に形成することができる。溝部の形状は特に限定されず、例えば、断面がＶ字状や半円形となるように形成することができる。また、溝部の設け方や本数も特に限定されず、例えば、複数本の溝部を平行に形成し、あるいは交差させて形成することができる。また、一本の溝部を湾曲させ、あるいは蛇行させて形成することもできる。
【００２２】
従って、本考案によれば、溝部を形成することにより、一対の鋏片が支軸付近で接触する面積を減少させることができる。そして、溝部というごく一部分の削除によって接触面積を減少させるため、一対の鋏片間の支軸付近における当接状態が不安定となることを防止することができる。これにより、鋏の開閉操作を不安定化することなく、一対の鋏片の摺動に伴って生じる摩擦を減少させ、鋏の開閉操作を容易なものとして、使用者の負担を軽減することができる。特に、嵌挿体の凹部への嵌挿により、上記のように摩擦が増大するおそれのある本考案において、摩擦の増大を抑制しつつ、接触圧力を増加させることが可能となる。また、一対の鋏片間に潤滑シートが介装され、鋏片の開閉操作に伴って、溝部が形成された面が潤滑シートと摺動する場合は、潤滑シートから滲み出した潤滑剤が溝部に保持され、より効果的に摩擦を減少させることができる。
【考案の効果】
【００２３】
以上のように、本考案の鋏によれば、一方の鋏片に形成された凹部に嵌挿させた嵌挿体により、夫々の鋏片が支軸付近の持手部側で外側に押圧され、刃部側で他方の鋏片に圧接され、刃元付近の接触圧力を増加させることが可能となる。また、嵌挿体の一部または全部の脱着により、嵌挿体の厚さを変化させ、一対の刃部間の接触圧力を容易に調整することが可能となる。
【考案を実施するための最良の形態】
【００２４】
以下、本考案を実施するための最良の一実施形態である鋏について、図１乃至図３に基づいて説明する。図１は本考案の鋏の構成を示す分解斜視図であり、図２は図１の鋏の要部の構成を示す断面図であり、図３は図１の鋏の他の要部を示す説明図である。なお、本実施形態では、美容師や理容師が髪をカットするために使用する理美容用の鋏に、本考案を適用した場合について例示する。
【００２５】
本実施形態の鋏１は、図１に示すように、刃部１１及び環状の指通孔１４を有する持手部１３を備えた第一鋏片１０と、刃部２１及び環状の指通孔２４を有する持手部２３を備えた第二鋏片２０と、これらの一対の鋏片１０，２０の回動中心となる支軸５と、第一鋏片１０に形成された凹部１２と、凹部１２に嵌挿可能な嵌挿体２とを主に具備して構成されている。
【００２６】
更に詳細に説明すると、支軸５は、円柱部５ａに角柱部５ｂが重畳的に形成された外形を有し、内部には螺子溝５ｃが形成されている。また、第一鋏片１０には、支軸５の円柱部５ａを挿通可能な円形の軸孔１５が穿設され、第二鋏片２０には、支軸５の角柱部５ｂを挿通可能な矩形の軸孔２５が穿設されている。
【００２７】
凹部１２は、第一鋏片１０の軸孔１５の周囲に形成され、その底面に軸孔１５が穿設されている。この凹部１２の底面及びこれに平行な断面の形状は略卵型であり、持手部側部分１２ａで、刃部側部分１２ｂよりも広い面積を有するように形成されている。また、この凹部１２は、図２（ａ）に示すように、深さが、刃部側部分１２ｂから軸孔１５周辺までは略同一で、そこから持手部側部分１２ａに向かって漸次浅くなるように形成されている。なお、図２（ａ）は、凹部１２に嵌挿体２を嵌挿させていない状態を図示している。また、凹部１２の深さの傾斜を明確に示すため、便宜上、実際の寸法比よりも誇張して図示している。
【００２８】
凹部１２に嵌挿可能な嵌挿体２は、本実施形態では、夫々１／１００ミリ、２／１００ミリ、３／１００ミリ、５／１００ミリの厚さを有する４種類の嵌挿片３ａ，３ｂ，３ｃ，３ｄと、潤滑剤を含浸させた潤滑シート４を具備して構成されている。これらの嵌挿片３ａ，３ｂ，３ｃ，３ｄ及び潤滑シート４は、凹部１２の底面と略同一の形状に形成され、夫々について、凹部１２に嵌挿させた状態で支軸５を挿通させることが可能な位置に軸孔８が穿設されている。また、鋏１が使用により摩耗したり研磨処理を施されたりしていない初期状態で、嵌挿体２の厚さ、すなわち、嵌挿片３ａ，３ｂ，３ｃ，３ｄ及び潤滑シート４の厚さの合計が、凹部１２の持手部側部分１２ａの深さよりも大きく、刃部側部分１２ｂの深さよりも小さいものとなるように、嵌挿体２の厚さ及び凹部１２の深さが設定されている。
【００２９】
また、図３に示すように、第二鋏片２０の軸孔２５近傍の持手部側部分２２ａ、すなわち、第一鋏片１０と対抗して摺動する面には、断面Ｖ字状の溝部２７が複数本形成されている。
【００３０】
次に、本実施形態の鋏１の使用方法について説明する。まず、凹部１２に嵌挿体２を嵌挿させるときは、支軸５及び雄螺子６の螺合をはずして、第一鋏片１０及び第二鋏片２０の組付けを解除する。その状態で、凹部１２に、嵌挿片３ａ，３ｂ，３ｃ，３ｄの一部または全部を嵌挿させる。そして、その上から更に潤滑シート４を嵌挿させる。ここで、嵌挿片３ａ等及び潤滑シート４は、凹部１２の形状と略同一の形状をしているため、形状を合わせて凹部１２に嵌挿させることにより、容易に軸孔８の位置を第一鋏片１０の軸孔１５の位置と一致させることができる。その状態で、支軸５を軸孔１５，８に挿通し、更に第二鋏片２０の軸孔２５に挿通し、その螺子溝５ｃに雄螺子６の螺子部６ｃを螺合させることにより、一対の鋏片１０，２０が支軸５周りに回動可能に組付けられる。この際、雄螺子６と第二鋏片２０との間にワッシャ９を介装させることにより、雄螺子６と支軸５の締付け状態が安定する。
【００３１】
また、凹部１２の深さは、刃部側部分１２ｂより持手部側部分１２ａが浅くなるよう形成されているため、凹部１２に嵌挿させるために使用した嵌挿片３ａ等及び潤滑シート４の厚さの合計が持手部側部分１２ａの深さより大のとき、図２（ｂ）に示すように、嵌挿片３ａ等及び潤滑シート４から構成される嵌挿体２によって、第一鋏片１０の持手部側部分１２ａ及び第二鋏片２０の持手部側部分２２ａは、夫々外側に押し広げられるように押圧される。特に、本実施形態では、凹部１２及び嵌挿体２が略卵型の形状に形成され、持手側部分１２ａで広い面積を有するものとされているため、この押圧力が効果的に発揮される。その結果、弾性を有する第一鋏片１０及び第二鋏片２０は、夫々支軸５付近の刃部側部分１２ｂ，２２ｂで互いに圧接し合うこととなる。なお、図２（ｂ）は、凹部１２に嵌挿された嵌挿体２が鋏片１０，２０に及ぼす作用を明示するために、実際の寸法比よりも誇張して図示している。ここで、一般的には、上述のように鋏片には「ソリ」が形成され、刃元付近より刃先付近で接触圧力が大きくなるように設定されている。そのため、一対の鋏片が開いた状態から半ば閉じるあたりまでは、両方の刃部を押し合わせるような手の力の作用と共に対象物が切断され、そこから鋏が閉じる状態となるまでは、両方の刃が摺り合うような鋏自体の構造によって主に対象物が切断される。これに対し、本考案の鋏１において、嵌挿体２の嵌挿により刃元付近の接触圧力を増加させた場合は、閉操作に伴って自然に、一対の刃部１１，２１の接触点が刃元から刃先まで移動する。すなわち、手の力で一対の刃部１１，２１を押し合わせなくても、例えば、指通孔１４，２４に指を挿通せずに、持手部１３，２３を把持して鋏１を開閉操作したり、利き手ではない方の手で開閉したりするような使い方をしたとしても、刃元から刃先にかけて、刃部１１，２１がぴったりと摺り合わされる。
【００３２】
そして、一対の刃部１１，２１の接触圧力が、使用者の所望する圧力より大きすぎる場合、例えば、鋏１の開閉操作が重く手に負担がかかると感じる場合等は、嵌挿片３ａ等の何れかを凹部１２から取外し、あるいは、凹部１２に嵌挿させる嵌挿片３ａ等の組合せを変えることにより、嵌挿体２全体の厚さを減少させることができる。これにより、嵌挿体２による鋏片１０，２０の押圧力が低下し、支軸５付近の刃部側部分１２ｂ，２２ｂの圧接が弱められ、刃部１１，２１の接触圧力を小さくすることができる。また、逆に、接触圧力が使用者の所望するものよりも小さい場合、凹部１２に嵌挿させる嵌挿片３ａ等を追加し、あるいは組合せを変えることにより、嵌挿体２の厚さを増加させ、刃部側部分１２ｂ，２２ｂの圧接を強め、刃部１１，２１の接触圧力を大きくすることができる。この際、嵌挿体２の厚さが、凹部１２の刃部側部分１２ｂの深さよりも小であると有効である。また、嵌挿体２を構成する嵌挿片３ａ等、及び潤滑シート４を全て凹部１２に嵌挿させ、嵌挿体２の厚さを最大にしたとき、刃部１１，２１の接触圧力が最大となる。
【００３３】
更に、使用を開始した当初は、使用者にとって最適の状態であった鋏１が、研磨処理や磨耗によって、当初に設定された接触圧力と異なり、使い勝手が悪くなった場合も、同様に嵌挿片３ａ等を加減して嵌挿体２の厚さを増減させることにより、接触圧力を最適なものに維持することが可能となる。
【００３４】
以上のように、本実施形態の鋏１によれば、第一鋏片１０の軸孔１５の周囲に形成された凹部１２に嵌挿片３ａ等及び潤滑シート４を嵌挿させることにより、刃部１１，２１の接触圧力を増加させることができる。これにより、刃元から刃先まで刃部１１，２１がぴったりと擦り合わされ、切れ味良く滑らかに、対象物を切断することが可能となる。また、髪をカットする作業の際に、刃部１１，２１の間隙に髪が入り込むことを抑制することができる。
【００３５】
また、嵌挿体２は持手部側部分１２ａ，２２ａで広い面積を有するように形成されているため、支軸５近傍で鋏片１０，２０を押圧する力は、鋏１の閉操作の際に主に作用し、開操作の際にはほとんど作用しない。これにより、支軸５の締付けを強める場合のように、鋏片１０，２０が常に互いに圧接されて支軸５周りの摩擦が増大するようなことがなく、対象物を切断する閉操作の際に、有効に接触圧力を増加させることができる。
【００３６】
更に、凹部１２に嵌挿させる嵌挿片３ａ等を脱着するという容易な操作により、刃部１１，２１の接触圧力を調整することが可能となる。その際、嵌挿片３ａ等の厚さとして、１／１００ミリ、２／１００ミリ、３／１００ミリ、５／１００ミリを採用したことにより、４種類という少ない種類でありながら、１／１００ミリ単位で嵌挿片の厚さを種々に変化させ、接触圧力を微調整することが可能となる。すなわち、美容師等の鋏１の使用者が、自身で容易に刃部１１，２１の接触圧力を微調整することができる。また、深さに傾斜を設けた凹部１２と厚さの異なる数種の嵌挿片３ａ等という簡易な構成として、使用者が自身で接触圧力を調整可能な鋏１を製造することができる。
【００３７】
また、嵌挿体２の再頂部に配された潤滑シート４が、第二鋏片２０の支軸５近傍の面と摺動することにより、支軸５付近で一対の鋏片１０，２０間に生じる摩擦が軽減される。これにより、嵌挿体２の凹部１２への嵌挿により、持手部側部分１２ａ，２２ａにおいて鋏片１０，２０が嵌挿体２に押圧され、刃部側部分１２ｂ，２２ｂにおいて鋏片１０，２０間の圧接が強められても、これによる摩擦の増大が抑制され、鋏１の開閉操作を良好なものとすることができる。加えて、潤滑シート４に含浸された潤滑剤は、少しずつ滲み出して、摺動する鋏片１０，２０間に供給されるため、摩擦を軽減する効果が長期に渡って持続する。また、支軸５付近に注油する場合のように、過剰に供給された潤滑剤に髪やほこりが付着して支軸５周りの鋏片１０，２０の回動が妨げられたり、不衛生となったりすることを回避することができる。
【００３８】
加えて、第二鋏片２０に形成された溝部２７により、支軸５近傍で鋏片１０，２０の接触面積が減少する。これにより、鋏１の開閉操作に伴う摩擦が更に軽減され、鋏１の開閉操作がより容易なものとなり、使用者の負担を軽減して、使用感の良いものとなる。また、この溝部２７が形成された面は潤滑シート４と摺動するため、潤滑シート４から滲み出した潤滑剤が溝部２７に保持され、摩擦の減少効果がより発揮されるものとなる。
【００３９】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００４０】
例えば、本実施形態では、第一鋏片１０（動刃）に凹部１２を設けているが、これに限定されず、第二鋏片２０（静刃）に凹部１２を形成することができる。また、本実施形態では、凹部１２を軸孔１５を取囲むように形成しているが、これに限定されず、例えば軸孔１５より持手部側に形成し、嵌挿させる嵌挿片３ａ等及び潤滑シート４には軸孔を形成しないものとすることもできる。更に、嵌挿片３ａ等及び潤滑シート４の形状を略卵型としているが、これに限定されず、例えば、円形、矩形、三日月形に形成することができる。
【００４１】
また、本実施形態では、嵌挿片は、１／１００ミリ、２／１００ミリ、３／１００ミリ、５／１００ミリの厚さを有する４種類とし、調整可能な最小単位を１／１００ミリとしているが、これに限定されず、例えば、厚さの種類を増やしたり、同じ厚さの嵌挿片を複数備えるものとしたり、最小単位をさらに小さく設定したりすることができる。更に、本実施形態では、潤滑シート４は嵌挿体２の一構成とし、嵌挿片３ａ等と共に凹部１２に嵌挿させているが、これに限定されず、例えば、潤滑シート４は凹部１２に嵌挿させず、凹部１２及びその周辺をより広く覆うように配することができる。また、潤滑シート４には支軸５を挿通させず、支軸５付近で鋏片に潤滑シート４を貼着等することもできる。
【００４２】
更に、本実施形態では、本考案を理美容用の鋏に適用した場合を例示したが、これに限定されず、例えば、種々の厚さの紙を繊細にカットする等、工芸やデザインの分野で専門家が使用する鋏に適用することができる。
【図面の簡単な説明】
【００４３】
【図１】本考案の鋏の構成を示す分解斜視図である。
【図２】図１の鋏の要部の構成を示す断面図である。
【図３】図１の鋏の他の要部を示す説明図である。
【符号の説明】
【００４４】
１  鋏
２  嵌挿体
３ａ，３ｂ，３ｃ，３ｄ  嵌挿片
４  潤滑シート
５  支軸
１０  第一鋏片（鋏片）
１１  刃部
１２  凹部
１３  持手部
２０  第二鋏片（鋏片）
２１  刃部
２３  持手部
２７  溝部
【図１】
0003115998.tif 000003
【図２】
0003115998.tif 000004
【図３】
0003115998.tif 000005